(57)【要約】【課題】遊技者の選択した情報を表示し、かつ、表示させたい情報を確実に遊技者に伝達できる遊技用システムを提供することである。【解決手段】遊技者により選択された所定画像を表示する。さらに、遊技者が選択した所定画像が表示されているときであっても、表示態様設定手段により全表示領域態様に設定された所定画像が配信されたときには、遊技者が選択した所定画像を表示する制御を終了し配信されてきた所定画像を表示させる制御を行なう。また、遊技者が選択した所定画像が表示されているときであっても、表示態様設定手段により割込み表示態様に設定された所定画像が配信されたときには、遊技者が選択した所定画像の表示領域の一部に割込み表示態様で配信されてきた所定画像を表示させる制御を行なう。【選択図】        図４
2005040279.tif 000002
【特許請求の範囲】
【請求項１】
所定画像を表示するための画像情報を管理する管理手段、および、該管理手段が管理する画像情報を複数の遊技用装置に配信する画像情報配信手段を備える管理装置と、
前記画像情報配信手段から配信される画像情報を受入れる画像情報受入手段、および、前記所定画像を表示する表示領域を有する画像表示手段、および、遊技者が前記画像表示手段に表示させる所定画像を選択するための選択指示を受け付ける選択指示受付手段、および、前記画像情報受入手段が受入れた画像情報に基づいて前記選択指示受付手段が受け付けた選択指示に対応する所定画像を前記画像表示手段に表示させる制御を行なう画像表示制御手段をそれぞれ備える複数の遊技用装置と、を含む遊技用システムであって、
前記管理装置は、前記選択指示受付手段が受け付けている選択指示に関わらず前記画像表示手段に表示させる所定画像の表示態様を、前記画像表示手段に現在表示されている所定画像の全表示領域に対して割込み表示させる全表示領域態様とするかまたは前記画像表示手段に現在表示されている所定画像の表示領域の一部に対して割込み表示させる割込み表示態様とするかを設定する表示態様設定手段を含み、
前記画像情報配信手段は、画像情報の配信に際して、当該画像情報に基づいて表示される所定画像に対し前記表示態様設定手段により設定された表示態様を特定可能な表示態様特定情報を当該画像情報に含めて配信し、
前記画像表示制御手段は、
前記画像情報受入手段が新たに受入れた画像情報に含まれる表示態様特定情報が、前記全表示領域態様で表示させる表示態様特定情報であるときに、前記選択指示受付手段が受け付けている選択指示に対応する所定画像を表示させる制御を終了し、当該新たに受入れた画像情報に基づいて表示される所定画像を前記全表示領域態様で表示させる制御を行ない、
前記画像情報受入手段が新たに受入れた画像情報に含まれる表示態様特定情報が、前記割込み表示態様で表示させる表示態様特定情報であるときに、前記選択指示受付手段が受け付けている選択指示に対応する所定画像の表示領域の一部に当該新たに受入れた画像情報に基づいて表示される所定画像を前記割込み表示態様で表示させる制御を行なうことを特徴とする、遊技用システム。
【請求項２】
所定画像を表示するための画像情報を管理する管理手段、および、該管理手段が管理する画像情報を複数の遊技用装置に配信する画像情報配信手段を備える管理装置と、
前記画像情報配信手段から配信される画像情報を受入れる画像情報受入手段、および、前記所定画像を表示する表示領域を有する画像表示手段、および、遊技者が前記画像表示手段に表示させる所定画像を選択するための選択指示を受け付ける選択指示受付手段、および、前記画像情報受入手段が受入れた画像情報に基づいて前記選択指示受付手段が受け付けた選択指示に対応する所定画像を前記画像表示手段に表示させる制御を行なう画像表示制御手段をそれぞれ備える複数の遊技用装置と、を含む遊技用システムであって、
前記管理装置は、
前記選択指示受付手段が受け付けている選択指示に関わらず前記画像表示手段に表示させる所定画像の表示態様を、前記画像表示手段に現在表示されている所定画像の全表示領域に対して割込み表示させる全表示領域態様とするかまたは前記画像表示手段に現在表示されている所定画像の表示領域の一部に対して割込み表示させる割込み表示態様とするかを設定する表示態様設定手段と、
該表示態様設定手段が設定した表示態様を特定可能な表示態様特定情報を前記複数の遊技用装置に配信する表示態様特定情報配信手段と、をさらに備え、
前記複数の遊技用装置は、
各々、前記表示態様特定情報配信手段から配信される前記表示態様特定情報を記憶する表示態様特定情報記憶手段と、
前記表示態様特定情報記憶手段に記憶された前記表示態様特定情報に基づいて、前記画像情報受入手段が新たに受入れた画像情報に基づいて表示される所定画像の表示態様が前記全表示領域態様で表示させる表示態様であるかまたは前記割込み表示態様で表示させる表示態様であるかを特定する情報特定手段と、をさらに備え、
前記画像表示制御手段は、
前記情報特定手段により前記新たに受入れた画像情報に基づいて表示される所定画像の表示態様が前記全表示領域態様で表示させる表示態様であると特定されたときに、前記選択指示受付手段が受け付けている選択指示に対応する所定画像を表示させる制御を終了し、当該新たに受入れた画像情報に基づいて表示される所定画像を前記全表示領域態様で表示させる制御を行ない、
前記情報特定手段により前記新たに受入れた画像情報に基づいて表示される所定画像の表示態様が前記割込み表示態様で表示させる表示態様であると特定されたときに、前記選択指示受付手段が受け付けている選択指示に対応する所定画像の表示領域の一部に当該新たに受入れた画像情報に基づいて表示される所定画像を前記割込み表示態様で表示させる制御を行なうことを特徴とする、遊技用システム。
【請求項３】
遊技者から、画像情報に基づいて表示される所定画像の表示を消去させるための消去指示を受け付ける消去指示受付手段をさらに備え、
前記画像表示制御手段は、前記消去指示受付手段が消去指示を受け付けたことに基づき、前記選択指示受付手段が受け付けている選択指示に対応する所定画像以外の画像の表示を消去する消去制御を行なうことを特徴とする、請求項１または請求項２に記載の遊技用システム。
【請求項４】
所定画像を前記割込み表示態様で前記画像表示手段に表示させる位置を設定するための割込み表示位置設定手段をさらに備え、
前記画像表示制御手段は、前記割込み表示位置設定手段で設定された位置に、当該所定画像を前記割込み表示態様で表示させる制御を行なうことを特徴とする、請求項１から請求項３のいずれかに記載の遊技用システム。
【請求項５】
前記画像表示制御手段は、所定画像を前記割込み表示態様で表示させる制御を行なっているときであって、前記画像情報受入手段が新たに受入れた画像情報の表示態様特定情報が、前記割込み表示態様で表示させる表示態様特定情報であるときに、すでに前記割込み表示態様で表示されている所定画像を表示させる制御の終了後、さらに、当該新たに受入れた画像情報に基づいて表示される所定画像を前記割込み表示態様で表示させる制御を行なうことを特徴とする、請求項１から請求項４のいずれかに記載の遊技用システム。
【発明の詳細な説明】
【０００１】
【発明の属する技術分野】
本発明は、たとえば、ホール管理用コンピュータ等で代表される管理装置と、パチンコ遊技機やコイン遊技機に接続された台間機等で代表される複数の遊技用装置とを含む遊技用システムに関し、詳しくは、所定画像を表示するための画像情報を管理する管理手段、および、該管理手段が管理する画像情報を複数の遊技用装置に配信する画像情報配信手段を備える管理装置と、前記画像情報配信手段から配信される画像情報を受入れる画像情報受入手段、および、前記所定画像を表示する表示領域を有する画像表示手段、および、遊技者が前記画像表示手段に表示させる所定画像を選択するための選択指示を受け付ける選択指示受付手段、および、前記画像情報受入手段が受入れた画像情報に基づいて前記選択指示受付手段が受け付けた選択指示に対応する所定画像を前記画像表示手段に表示させる制御を行なう画像表示制御手段をそれぞれ備える複数の遊技用装置と、を含む遊技用システムに関する。
【０００２】
【従来の技術】
この種の遊技用システムにおいて、従来から一般的に知られているものに、たとえば、所定画像を表示するための画像情報を管理する管理手段、および、該管理手段が管理する画像情報を複数の遊技用装置に配信する画像情報配信手段を備える管理装置と、前記画像情報配信手段から配信される画像情報を受入れる画像情報受入手段、および、前記所定画像を表示する表示領域を有する画像表示手段、および、遊技者が前記画像表示手段に表示させる所定画像を選択するための選択指示を受け付ける選択指示受付手段、および、前記画像情報受入手段が受入れた画像情報に基づいて前記選択指示受付手段が受け付けた選択指示に対応する所定画像を前記画像表示手段に表示させる制御を行なう画像表示制御手段をそれぞれ備える複数の遊技用装置と、を含むものがある。
【０００３】
このような遊技用システムにおいて、管理装置から配信される複数種類の遊技関連情報のうち、遊技者の選択指示に対応する遊技関連情報に基づいて表示される画像を表示するもの（たとえば、特許文献１参照）があった。
【０００４】
【特許文献１】
特開２００２−２６３３４９号公報（第３頁）
【０００５】
【発明が解決しようとする課題】
しかし、遊技者の選択指示に対応する遊技関連情報に基づく画像のみを表示する構成であったため、管理装置から配信される複数種類の遊技関連情報に、遊技者にとって有利となる情報や遊技場側が遊技者にアピールしたい情報といった有効情報があったとしても、遊技者がこの有効情報を選択しない限り表示されることがないため、遊技者および遊技場側の双方にとって不都合が生じていた。
【０００６】
この発明は上述の問題に鑑みてなされたものであり、その目的は、遊技者の選択した情報を表示し、かつ、遊技者にとって有利となる情報や遊技場側が遊技者にアピールしたい情報といった有効情報を確実に遊技者に伝達できる遊技用システムを提供することである。
【０００７】
【課題を解決するための手段の具体例およびその効果】
（１）  所定画像（たとえば、テレビ画像等や遊技情報画像等参照）を表示するための画像情報（たとえば、画像信号，情報信号等参照）を管理する管理手段（たとえば、画像配信装置４０、記憶部８７，ＲＡＭ８３等参照）、および、該管理手段が管理する画像情報を複数の遊技用装置（たとえば、台間機等参照）に配信（たとえば、送信等）する画像情報配信手段（たとえば、画像配信装置４０、Ｉ／Ｆ８４、制御部８０，ＣＰＵ８１等参照）を備える管理装置（たとえば、ホール管理コンピュータ８等参照）と、
前記画像情報配信手段から配信される画像情報を受入れる画像情報受入手段（たとえば、入出力インタフェース２９等参照）、および、前記所定画像を表示する表示領域を有する画像表示手段（たとえば、表示部３等参照）、および、遊技者が前記画像表示手段に表示させる所定画像を選択するための選択指示を受け付ける選択指示受付手段（たとえば、タッチパネル２８等参照）、および、前記画像情報受入手段が受入れた画像情報に基づいて前記選択指示受付手段が受け付けた選択指示に対応する所定画像を前記画像表示手段に表示させる制御を行なう画像表示制御手段（たとえば、台間機制御用マイクロコンピュータ２０等参照）をそれぞれ備える複数の遊技用装置（たとえば、台間機２等参照）と、を含む遊技用システム（たとえば、遊技用システム９等参照）であって、
前記管理装置は、前記選択指示受付手段が受け付けている選択指示に関わらず前記画像表示手段に表示させる所定画像（たとえば、情報信号に基づく情報画像等）の表示態様を、前記画像表示手段に現在表示されている所定画像の全表示領域に対して割込み表示させる全表示領域態様（たとえば、全画面表示態様等参照）とするかまたは前記画像表示手段に現在表示されている所定画像の表示領域の一部に対して割込み表示させる割込み表示態様（たとえば、割込み表示態様等参照）とするかを設定（たとえば、情報信号毎に表示態様情報を設定等）する表示態様設定手段（たとえば、入力部８５等参照）を含み、
前記画像情報配信手段は、画像情報の配信に際して、当該画像情報に基づいて表示される所定画像に対し前記表示態様設定手段により設定された表示態様を特定可能な表示態様特定情報（たとえば、表示態様情報等参照）を当該画像情報に含めて配信し、
前記画像表示制御手段は、
前記画像情報受入手段が新たに受入れた画像情報に含まれる表示態様特定情報が、前記全表示領域態様で表示させる表示態様特定情報であるとき（たとえば、ＳＢ０９で「Ｎ」の判別がなされたとき）に、前記選択指示受付手段が受け付けている選択指示に対応する所定画像を表示させる制御を終了し、当該新たに受入れた画像情報に基づいて表示される所定画像を前記全表示領域態様で表示させる制御を行ない（たとえば、ＳＣ０５、図６（ｅ），図７（ｉ）等参照）、
前記画像情報受入手段が新たに受入れた画像情報に含まれる表示態様特定情報が、前記割込み表示態様で表示させる表示態様特定情報であるとき（たとえば、ＳＢ０９で「Ｙ」の判別がなされたとき）に、前記選択指示受付手段が受け付けている選択指示に対応する所定画像の表示領域の一部に当該新たに受入れた画像情報に基づいて表示される所定画像を前記割込み表示態様で表示させる制御を行なう（たとえば、ＳＣ０４、図５（ｃ），図７（ｇ），（ｈ）等参照）。
【０００８】
上述の構成によれば、遊技者により選択された所定画像を表示する。さらに、遊技者が選択した所定画像が表示されているときであっても、表示態様設定手段により全表示領域態様に設定された所定画像が配信されたときには、遊技者が選択した所定画像を表示する制御を終了し配信されてきた所定画像を表示する。また、遊技者が選択した所定画像が表示されているときであっても、表示態様設定手段により割込み表示態様に設定された所定画像が配信されたときには、遊技者が選択した所定画像の表示領域の一部に割込み表示態様で配信されてきた所定画像を表示する。これにより、遊技者が選択した所定画像を表示することにより遊技者の関心を寄せるとともに、遊技場側が遊技者に伝達したい所定画像を全表示領域態様か割込み表示態様かにより表示することができるので、遊技者が選択した所定画像を表示していてもアピールしたい所定画像を表示できる。
【０００９】
（２）  所定画像（たとえば、テレビ画像等や遊技情報画像等参照）を表示するための画像情報（たとえば、画像信号，情報信号等参照）を管理する管理手段（たとえば、画像配信装置４０、記憶部８７，ＲＡＭ８３等参照）、および、該管理手段が管理する画像情報を複数の遊技用装置（たとえば、台間機等参照）に配信（たとえば、送信等）する画像情報配信手段（たとえば、画像配信装置４０、Ｉ／Ｆ８４、制御部８０，ＣＰＵ８１等参照）を備える管理装置（たとえば、ホール管理コンピュータ８等参照）と、
前記画像情報配信手段から配信される画像情報を受入れる画像情報受入手段（たとえば、入出力インタフェース２９等参照）、および、前記所定画像を表示する表示領域を有する画像表示手段（たとえば、表示部３等参照）、および、遊技者が前記画像表示手段に表示させる所定画像を選択するための選択指示を受け付ける選択指示受付手段（たとえば、タッチパネル２８等参照）、および、前記画像情報受入手段が受入れた画像情報に基づいて前記選択指示受付手段が受け付けた選択指示に対応する所定画像を前記画像表示手段に表示させる制御を行なう画像表示制御手段（たとえば、台間機制御用マイクロコンピュータ２０等参照）をそれぞれ備える複数の遊技用装置（たとえば、台間機２等参照）と、を含む遊技用システム（たとえば、遊技用システム９等参照）であって、
前記管理装置は、
前記選択指示受付手段が受け付けている選択指示に関わらず前記画像表示手段に表示させる所定画像（たとえば、情報信号に基づく情報画像等）の表示態様を、前記画像表示手段に現在表示されている所定画像の全表示領域に対して割込み表示させる全表示領域態様（たとえば、全画面表示態様等参照）とするかまたは前記画像表示手段に現在表示されている所定画像の表示領域の一部に対して割込み表示させる割込み表示態様（たとえば、割込み表示態様等参照）とするかを設定（たとえば、情報信号毎に表示態様情報を設定等）する表示態様設定手段（たとえば、入力部８５等参照）と、
該表示態様設定手段が設定した表示態様を特定可能な表示態様特定情報（たとえば、表示態様情報等参照）を前記複数の遊技用装置に配信する表示態様特定情報配信手段（たとえば、Ｉ／Ｆ８４、制御部８０，ＣＰＵ８１等参照）と、をさらに備え、
前記複数の遊技用装置は、
各々、前記表示態様特定情報配信手段から配信される前記表示態様特定情報を記憶する表示態様特定情報記憶手段（たとえば、ＲＡＭ２３等参照）と、
前記表示態様特定情報記憶手段に記憶された前記表示態様特定情報に基づいて、前記画像情報受入手段が新たに受入れた画像情報に基づいて表示される所定画像の表示態様が前記全表示領域態様で表示させる表示態様であるかまたは前記割込み表示態様で表示させる表示態様であるかを特定する情報特定手段（たとえば、ＲＡＭ２３に情報信号に対応させて格納されている表示態様情報を読出し、ＳＢ０９の判別処理によりＳＢ１０かＳＢ１１に振り分ける処理等）と、をさらに備え、
前記画像表示制御手段は、
前記情報特定手段により前記新たに受入れた画像情報に基づいて表示される所定画像の表示態様が前記全表示領域態様で表示させる表示態様であると特定されたとき（たとえば、ＳＢ０９で「Ｎ」の判別がなされたとき）に、前記選択指示受付手段が受け付けている選択指示に対応する所定画像を表示させる制御を終了し、当該新たに受入れた画像情報に基づいて表示される所定画像を前記全表示領域態様で表示させる制御を行ない（たとえば、ＳＣ０５、図６（ｅ），図７（ｉ）等参照）、
前記情報特定手段により前記新たに受入れた画像情報に基づいて表示される所定画像の表示態様が前記割込み表示態様で表示させる表示態様であると特定されたとき（たとえば、ＳＢ０９で「Ｙ」の判別がなされたとき）に、前記選択指示受付手段が受け付けている選択指示に対応する所定画像の表示領域の一部に当該新たに受入れた画像情報に基づいて表示される所定画像を前記割込み表示態様で表示させる制御を行なう（たとえば、ＳＣ０４、図５（ｃ），図７（ｇ），（ｈ）等参照）。
【００１０】
上述の構成によれば、遊技者により選択された所定画像を表示する。さらに、遊技者が選択した所定画像が表示されているときであっても、配信されてきた所定画像が全表示領域態様に設定された所定画像であるときには、遊技者が選択した所定画像を表示する制御を終了し配信されてきた所定画像を表示する。また、遊技者が選択した所定画像が表示されているときであっても、配信されてきた所定画像が割込み表示態様に設定された所定画像であるときには、遊技者が選択した所定画像の表示領域の一部に割込み表示態様で配信されてきた所定画像を表示する。これにより、遊技者が選択した所定画像を表示することにより遊技者の関心を寄せるとともに、遊技場側が遊技者に伝達したい所定画像を全表示領域態様か割込み表示態様かにより表示することができるので、遊技者が選択した所定画像を表示していてもアピールしたい所定画像を表示できる。
【００１１】
（３）  遊技者から、画像情報に基づいて表示される所定画像の表示を消去させるための消去指示を受け付ける消去指示受付手段（たとえば、タッチパネル２８等参照）をさらに備え、
前記画像表示制御手段は、前記消去指示受付手段が消去指示を受け付けたことに基づき（たとえば、ＳＣ０６で「Ｎ」の判別がなされたことに基づき）、前記選択指示受付手段が受け付けている選択指示に対応する所定画像以外の画像の表示を消去する消去制御を行なう（たとえば、ＳＣ０８等参照）。
【００１２】
上述の構成によれば、遊技者が選択していない画像の表示を消去する制御を行なうことができる。これにより、遊技場側が遊技者に伝達しようとする所定画像を遊技者が選択する所定画像に早く切替えて表示することができる。
【００１３】
（４）  所定画像を前記割込み表示態様で前記画像表示手段に表示させる位置（たとえば、表示領域の上段，下段，左端，右端の位置等）を設定するための割込み表示位置設定手段（たとえば、入力部８５等参照）をさらに備え、
前記画像表示制御手段は、前記割込み表示位置設定手段で設定された位置に、当該所定画像を前記割込み表示態様で表示させる制御を行なう（たとえば、ＳＣ０４、図５（ｃ），図７（ｇ），（ｈ）等参照）。
【００１４】
上述の構成によれば、割込み表示位置設定手段で設定された位置に割込み表示態様で所定画像を表示する制御を行なうことができる。これにより、遊技場側が遊技者に伝達しようとする所定画像を視認しやすい位置に割込み表示態様で表示することができる。また、遊技場側が遊技者に伝達しようとする所定画像を表示したい位置に割込み表示態様で表示することができる。
【００１５】
（５）  前記画像表示制御手段は、所定画像を前記割込み表示態様で表示させる制御を行なっているとき（たとえば、ＳＢ０４で「Ｙ」のとき、図７（ｇ）等参照）であって、前記画像情報受入手段が新たに受入れた画像情報の表示態様特定情報が、前記割込み表示態様で表示させる表示態様特定情報であるときに、すでに前記割込み表示態様で表示されている所定画像を表示させる制御の終了後（たとえば、ＳＣ０７で「Ｙ」の判別がなされＳＣ０８の処理が行なわれた後等）、さらに、当該新たに受入れた画像情報に基づいて表示される所定画像を前記割込み表示態様で表示させる制御を行なう（たとえば、ＳＢ０５で記憶しＳＢ０８で読出しＳＢ１０で割込みフラグをオン状態に設定する処理、図７（ｈ）等参照）。
【００１６】
上述の構成によれば、すでに所定画像が割込み表示態様で表示されているときに、さらに割込み表示態様に設定されている所定画像が配信されてきたときであっても、先の割込み表示態様で表示されている所定画像の表示制御が終了した後に、配信されてきた割込み表示態様で表示されることとなる所定画像を割込み表示態様で表示する制御を行なうことができる。これにより、割込み表示態様で表示しようとする所定画像が複数配信されてきたときであっても、複数の所定画像が同時に割込み表示態様で表示されることがないため、遊技者の視線をひとつの所定画像に引き付けることができ、遊技場側が遊技者に伝達したい所定画像を確実に視認させることができる。
【００１７】
【発明の実施の形態】
以下に、本発明の実施の形態を図面に基づいて詳細に説明する。なお、本実施の形態では、遊技用装置の一例として台間機をとり上げて説明するが、本発明はこれに限らず、たとえば、呼出しランプ装置等のその他の遊技用装置であってもよく、遊技機に対して設けられており遊技や遊技場に関連する情報としての遊技情報・遊技場情報を示す画像を表示する遊技用装置であれば、すべてに適用可能である。また、本実施の形態による遊技用装置に対応して設けられる遊技機としては、一例として一般的なパチンコ遊技機を説明するが、これに限らず、対応する遊技機としては一般的なスロットマシン等のその他の遊技機であってもよい。
【００１８】
図１は、本発明に係る遊技用装置が設けられている遊技場内における遊技用システム９の構成を示す概念図である。遊技用システム９は、複数台のパチンコ遊技機１が並べて配置される遊技機設置島６を含む。各パチンコ遊技機１の向かって左側には、玉貸装置としての台間機２が設置されている。台間機２は、遊技者が遊技を行なう際に必要なカード残高を記録した遊技用カードの読取り、当該カード残高の引落金額に応じた貸玉としてのパチンコ玉をパチンコ遊技機１へ払出す。台間機２は、さらに、遊技や遊技場に関連する情報としての遊技情報・遊技場情報等を表示する機能を有する。
【００１９】
遊技用システム９は、さらに、ホール管理コンピュータ８を含む。ホール管理コンピュータ８は画像配信装置４０を有し、テレビ放送局、ケーブルテレビ局、放送衛星、通信衛星またはインターネット等から受信したテレビ画像またはビデオ、ＤＶＤ（Ｄｉｇｉｔａｌ  Ｖｅｒｓａｔｉｌｅ  Ｄｉｓｃ）等で再生した画像等を表示させるための画像信号を遊技機設置島６内の各台間機２へ配信する。なお、ホール管理コンピュータ８は、遊技機設置島６内の複数台の台間機２と情報の授受を行なう島管理コンピュータ（図示せず）を介して、各台間機２からパチンコ遊技機１の遊技状態を示す遊技状態信号を受信し、各パチンコ遊技機１の状態を管理している。
【００２０】
ホール管理コンピュータ８は、さらに、島管理コンピュータを介して入力される遊技状態信号に対応する遊技情報信号（たとえば、遊技場において割り振られる台番号情報を含む、大当り信号，連チャン信号等）を各台間機２へ送信する。ホール管理コンピュータ８は、さらに、島管理コンピュータを介して、遊技場のイベントや宣伝、遊技者に対するお知らせ等を含む遊技場情報信号を各台間機２へ送信する。なお、遊技情報信号と遊技場情報信号とを情報信号という。この情報信号は、遊技者の選択の有無に関わらず後述する表示部３に表示する信号であって、全画面表示態様か割込み表示態様のいずれで表示するかを特定するための表示態様情報を含んだ信号である。
【００２１】
図２は、遊技用装置の一例としての台間機２および遊技機の一例としてのパチンコ遊技機１の正面図である。台間機２は、ホール管理コンピュータ８から配信される画像信号に基づいたテレビ画像や情報信号に基づいた情報画像を表示する表示部３が設けられている。遊技者は、表示部３でテレビ画像を視聴したり、情報信号に含まれる表示態様情報により特定される表示態様で情報画像を確認できる。
【００２２】
パチンコ遊技機１で遊技を行なう場合は、遊技者は、カード口２６ａに残高のある遊技用カードを挿入し、玉貸ボタン２７ａを操作する。遊技用カードに記憶されたカード残高から、貸出単位額分の額が引落され、貸玉として玉払出部からノズル３０を介し打球供給皿９２上に払出される。パチンコ遊技機１には、玉を貯蓄するための打球供給皿９２と、遊技領域１０ａと、遊技領域１０ａへ打玉を発射するための打球操作ハンドル９０と、打玉を遊技領域１０ａへ導くための誘導レール１６とが設けられている。遊技においては、打球操作ハンドル９０を操作し、打球供給皿９２に貯留された打玉を遊技領域１０ａに打込む。遊技領域１０ａに打込まれた打玉が各種の入賞領域に入賞すれば、入賞領域別に景品玉が所定数打球供給皿９２に払出される。一方、いずれの入賞領域にも入賞しなかった玉は、アウト口から回収される。打球供給皿９２が満タンになった場合には、余剰玉受皿９３に玉が送られて貯留される。
【００２３】
遊技としては、たとえば、遊技領域１０ａ内に配置されている始動入賞口の通路に設けられた始動口スイッチにより、打玉が検出された場合に、検出された打玉ごとに特別図柄の変動表示を開始させる制御が行なわれる。なお、打玉が入賞したことにより所定のランダムカウンタから抽出された乱数が「４」を記憶数の上限として記憶バッファに記憶される。
【００２４】
打玉が始動入賞口に入賞したことを条件として、特別図柄の変動表示が開始される。変動表示は、変動表示領域において上から下へ特別図柄をスクロールさせることによって行なわれ、所定時間経過すると特別図柄が停止表示される。特別図柄は、「０」〜「１１」の数字である。特別図柄の変動表示の表示結果が予め定められた特定表示結果（たとえば、「４４４」等のゾロ目が表示されたとき。以下大当り図柄ともいう。）となると、「大当り」となり、特定遊技状態（大当り）に移行される。大当りでは、可変入賞球装置の開閉板が開成して大入賞口が開口するため、打玉を大入賞口に入賞しやすい遊技者にとって有利な第１の状態に制御される。
【００２５】
特別図柄の変動表示の表示結果が大当り図柄のうち、確変大当り図柄（たとえば、「７７７」によるゾロ目が表示されたとき）となると、「確変大当り」となり、確変大当り終了以後から次に大当りとなる確率が通常遊技状態より高くなる、遊技者にとってさらに有利な確率変動状態となる。また、時短大当り図柄（たとえば、「３３３」によるゾロ目が表示されたとき）となると、「時短大当り」となり、時短大当り終了以後から所定回数表示結果が導出表示されるまで、特別図柄の変動表示が開始してから表示結果が表示されるまでの時間が短縮される時短制御が行なわれる変動時間短縮状態となる。
【００２６】
図３は、台間機２の制御回路および遊技用システム９の構成を示すブロック図である。本実施形態における遊技用システム９は、パチンコ遊技機１に対応して設けられる台間機２と、画像信号や情報信号を中継する島管理コンピュータ７と、ホールに配置された複数の島管理コンピュータ７で管理されている情報を一括して管理するとともに複数の台間機２へ配信する画像配信装置４０を含む管理装置としてのホール管理コンピュータ８とから構成される。
【００２７】
パチンコ遊技機１は、パチンコ遊技機１の内部に設けられた遊技制御用マイクロコンピュータ１０により、前述したような遊技制御が行なわれる。パチンコ遊技機１においては、大当り中信号、スタート信号、確変中信号、時短中信号等の各種信号が、遊技制御用マイクロコンピュータ１０から入出力インタフェース１１を介して台間機２へ出力される。大当り中信号は、大当りが発生していることを特定可能な信号であり、大当り中の期間においてアクティブ状態となる。スタート信号は、特別図柄の変動表示が始動したことを特定可能な信号であり、変動表示がスタートされるごとにアクティブ状態となる。確変中信号は、確率変動状態が発生していることを特定可能な信号であり、確率変動状態中の期間においてアクティブ状態となる。時短中信号も同様に、変動時間短縮状態中の期間においてアクティブ状態となる。
【００２８】
台間機２には、台間機制御用マイクロコンピュータ２０と、カードリーダライタ２００と、表示部３と、タッチパネル２８とが設けられる。台間機制御用マイクロコンピュータ２０は、ＣＰＵ２１と、ＲＯＭ２２と、ＲＡＭ２３と、ＶＤＰ（Ｖｉｄｅｏ  Ｄｉｓｐｌａｙ  Ｐｒｏｃｅｓｓｏｒ）２４と、ＶＲＡＭ（Ｖｉｄｅｏ  Ｒａｎｄｏｍ  Ａｃｃｅｓｓ  Ｍｅｍｏｒｙ）２５と、キャラクタＲＯＭ２６とを含む。
【００２９】
ＣＰＵ２１は、ＲＯＭ２２に記憶された制御用のプログラムを読出すとともに、ＲＡＭ２３を作業領域として用いて制御用のプログラムを実行することにより、台間機２を動作させる各種制御を実行する。ＣＰＵ２１が実行する制御には、前述した玉の貸出しを行なうための貸出制御、パチンコ遊技機１の各種遊技関連情報を管理するための遊技関連情報管理制御、および、表示部３の表示領域に表示する画像を画像信号，情報信号，および情報信号に含まれる表示態様情報から特定される表示態様（割込み表示態様，全画面表示態様等）で表示（合成表示）すること等の表示制御が含まれる。また、ＣＰＵ２１は、カードリーダライタ２００を制御して、前述した遊技用カードからカード残高および貯玉数情報を読出す処理等を行なう。ＣＰＵ２１は、大当り中信号等のパチンコ遊技機１からの各種信号や、島管理コンピュータ７からの画像信号や情報信号等を、入出力インタフェース２９を介して受信し管理する処理を行なう。
【００３０】
ＶＤＰ２４は、表示部３に画像を表示させる制御を行なうためのＩＣ（集積回路）である。ＣＰＵ２１からＶＤＰ２４には、画像表示をするための指令データとしての表示制御データが送信される。ＶＤＰ２４は、受信した表示制御データに従った画像表示をするために、画像データが記憶されたキャラクタＲＯＭ２６から必要なデータを読出す。そして、ＶＤＰ２４は、読出したデータに従って表示部３に表示するための画像データを生成し、その画像データをＶＲＡＭ２５に格納する。そして、ＶＲＡＭ２５内の画像データは、Ｒ（赤），Ｇ（緑），Ｂ（青）信号（ＲＧＢ信号）に変換されて、ＬＣＤ（Ｌｉｑｕｉｄ  Ｃｒｙｓｔａｌ  Ｄｉｓｐｌａｙ）により構成される表示部３へ与えられる。また、遊技者によるタッチパネル２８の操作に応じた操作信号がＶＤＰ２４を介してＣＰＵ２１へ与えられる。ＣＰＵ２１では、タッチパネル２８から与えられた操作信号に応じて、遊技者の操作に応じた画像を表示するチャンネル操作や、遊技者が欲しない情報画像を消去する消去操作等を行なうことができる。
【００３１】
台間機２は、さらに、島管理コンピュータ７を経由してホール管理コンピュータ８とデータ（たとえば、大当り中信号等）の通信が可能なように接続されている。台間機２においては、台間機制御用マイクロコンピュータ２０が、データ通信のソフトウェアを実行してデータ通信を行なうデータ通信機能を有しており、入出力インタフェース２９を介して島管理コンピュータ７を経由しホール管理コンピュータ８とデータの通信を行なう。台間機２において管理されている情報はすべて、ホール管理コンピュータ８からの要求に応じて、または、定期的に、島管理コンピュータ７を介して、遊技状態信号として、ホール管理コンピュータ８に与えられる。
【００３２】
また、ホール管理コンピュータ８において管理されている画像信号や情報信号は、台間機２からの要求に応じてまたは定期的に、島管理コンピュータ７を介して台間機２に与えられる。ホール管理コンピュータ８には、島管理コンピュータ７と通信するための入出力インターフェース８４と、ホール管理コンピュータ８の全体を制御する制御部８０と、ホール管理コンピュータ８に所定のイベント・宣伝等の遊技場情報や、情報の種類ごとに表示部３の全表示領域で表示するかまたは表示領域の一部に割込み表示するかを特定するための表示態様情報を入力するための入力部８５と、ホール管理コンピュータ８で処理された所定の情報を表示するための表示部８６と、ホール管理コンピュータ８で処理される所定の情報を記憶するための記憶部８７とが設けられている。なお、情報の種類ごとに設定される表示態様情報が割込み表示する情報であるときには、入力部８５により割込み表示する位置（たとえば、表示領域の上段，下段，左端，右端等の位置）をさらに設定することができる。かかる位置情報は、表示態様情報に含めてもよく、位置特定情報として別個に各々の情報信号に含めるようにしてもよい。
【００３３】
制御部８０は、ＣＰＵ８１と、ＲＯＭ８２と、ＲＡＭ８３と、ＶＤＰ８０１と、ＶＲＡＭ８０２と、キャラクタＲＯＭ８０３とを含む。ＣＰＵ８１は、ＲＯＭ８２または記憶部８７に記憶された情報処理用のプログラムを読出すとともに、ＲＡＭ８３を作業領域として用いて情報処理用のプログラムを実行することにより、ホール管理コンピュータ８を動作させる各種情報処理を実行する。ＣＰＵ８１が実行する情報処理には、遊技情報を集計する遊技情報集計処理、台間機２に設けられた表示部３に表示するための情報信号を生成する情報信号生成処理、生成された情報信号と該情報信号に対応する情報画像を全表示領域で表示するのか表示領域の一部に割込み表示するかを特定（割込み表示する位置の特定を含む）するために入力部８５により設定された表示態様情報を含め台間機２に送信する情報信号送信処理が含まれる。
【００３４】
ホール管理コンピュータ８は、入出力インターフェース８４を介して、島管理コンピュータ７と前述した画像信号や情報信号等を送受信する。入力部８５には、キーボードやマウスを接続可能であり、ホール管理コンピュータ８（ＣＰＵ８１を含む制御部８０）に必要な情報を入力することができる。表示部８６は、ＶＤＰ８０１に接続され、ホール管理コンピュータ８で管理される画像信号や情報信号等を表示することができる。記憶部８７は、ハードディスクドライブ（ＨＤＤ）等の磁気ディスク記憶装置であり、ＣＰＵ８１を含む制御部８０に接続されている。記憶部８７としては、磁気ディスク記憶装置に代えて、光磁気ディスク記憶装置や、光ディスク等を用いることもできる。
【００３５】
以上のように、本実施形態におけるホール管理コンピュータ８は、複数台のパチンコ遊技機１の遊技情報を管理し、遊技情報信号，遊技場が遊技者に伝達したいイベント・宣伝情報等の遊技場情報信号や、テレビ画像等を表示させるための画像信号を各台間機２へ出力する。このように出力される情報信号および画像信号等を受信し、台間機２の表示部３において画像として表示される。
【００３６】
図４は、台間機制御用マイクロコンピュータ２０により実行される台間機用表示制御処理のプログラムを説明するためのフローチャートである。
【００３７】
図４（ａ）は、台間機用表示制御処理のプログラムを説明するためのフローチャートであり、ＳＡ０１においてチャンネル設定や情報信号の表示態様を判別するためのフラグ設定を行なう処理がなされ、ＳＡ０２においてはＳＡ０１の設定処理で設定されたチャンネルおよびフラグに基づき表示部３にテレビ画像や情報画像を表示する表示処理が行なわれる。
【００３８】
図４（ｂ）は、設定処理のサブルーチンプログラムを説明するためのフローチャートである。まず、ＳＢ０１においては遊技者がテレビ番組，ビデオ，ＤＶＤ等から視聴したい画像を選択するためにタッチパネル２８のチャンネル操作が行なわれたか否かの判別がなされる。操作された場合にはＳＢ０２で操作により特定されたチャンネルを設定する処理が行なわれる。
【００３９】
ＳＢ０３においては、ホール管理コンピュータ８から送信される情報信号を受信したか否かの判別がなされる。情報信号を受信している旨の判別がなされたときにはＳＢ０４において、既に情報信号を受信しており情報信号に基づき情報画像を所定の表示態様で表示するために設定される割込みフラグまたは全画面フラグがオン状態であるか否かの判別がなされる。オン状態である旨の判別がなされたときには、ＳＢ０５において新たに受信した情報信号をＲＡＭ２３に設けられた記憶領域に受信した順番を読出すときに特定できるように記憶する処理が行なわれ、オン状態でない旨の判別がなされたときにはそのままＳＢ０９に移行される。
【００４０】
一方、ＳＢ０３において情報信号を受信していない旨の判別がなされたときには、ＳＢ０６においてＲＡＭ２３に設けられた記憶領域に情報信号が記憶されているか否かの判別がなされる。ＳＢ０６において記憶領域に情報信号が記憶されている旨の判別がなされたときには、ＳＢ０７においてＳＢ０４と同様の判別処理が行なわれる。オン状態でない旨の判別がなされたとき、すなわち情報信号に基づき情報画像が表示されていないときに、ＳＢ０８において最先に記憶された情報信号を記憶領域から読出し、それ以降に記憶された情報信号を１ずつシフトする処理が行なわれる。
【００４１】
ＳＢ０９においては、受信または記憶領域から読出された情報信号に含まれる表示態様情報が割込み表示態様で表示する表示態様情報であるか否かを判別する処理が行なわれる。割込み表示態様で表示する表示態様情報を含む情報信号である旨の判別がなされたときには、ＳＢ１０において新たに受信または読出した情報信号に対応させ、表示領域の一部に割込み表示するための割込みフラグをオン状態に設定する処理が行なわれる。一方、ＳＢ０９において割込み表示態様で表示する表示態様情報を含む情報信号でない旨であって、いわゆる全画面表示態様で表示する表示態様情報を含む情報信号である旨の判別がなされたときには、ＳＢ１１において新たに受信または読出した情報信号に対応させ、全表示領域で表示するための全画面フラグをオン状態に設定する処理が行なわれる。
【００４２】
図４（ｃ）は、表示処理のサブルーチンプログラムを説明するためのフローチャートである。まず、ＳＣ０１においては、ＳＢ０２において設定されたチャンネルに対応する画像を表示する処理が行なわれる。具体的には、台間機制御用マイクロコンピュータ２０に含まれるＶＤＰ２４が、入出力インターフェイス２９を介して台間機制御用マイクロコンピュータ２０に入力される画像信号のうち遊技者によりタッチパネル２８のチャンネル操作により選択されたチャンネルの画像信号に基づく画像を表示部３に表示する処理が行なわれる。
【００４３】
ＳＣ０２においては、情報信号に基づく情報画像を表示するための割込みフラグまたは全画面フラグがオン状態であるか否かの判断がなされる。オン状態である旨の判別がなされたときには、ＳＣ０３においてオン状態に設定されているフラグが割込みフラグであるか否かの判断がなされる。割込みフラグがオン状態である旨の判別がなされたときには、ＳＣ０４において割込みフラグに対応する情報信号に基づく情報画像を、情報信号ごとに入力部８５により予め設定されている位置情報から特定される所定位置に割込み表示する制御が行なわれる。一方、全画面フラグがオン状態であるときには、ＳＣ０５において、受信している画像信号に基づく画像ではなく、全画面フラグに対応する情報信号に基づく情報画像を全表示領域で表示する制御が行なわれる。
【００４４】
ＳＣ０６においては、遊技者がタッチパネル２８によりＳＣ０４またはＳＣ０５で表示されている情報画像を消去するための消去操作が行なわれたか否かの判別がなされる。消去操作とは、遊技場が遊技者に伝達しようとする情報画像を最後まで表示することなく途中で消去するための操作をいう。消去操作が行なわれたと判別されたときには、ＳＣ０８に移行される。ＳＣ０７においては、オン状態に設定されている割込みフラグまたは全画面フラグに対応する情報信号に基づく情報画像の表示を終了するタイミングであるか否かの判別がなされる。すなわち、情報信号の種類ごとに予め定められた時間表示されたか否かの判別がなされる。ＳＣ０６において消去操作が行なわれた旨の判別がなされたとき、および、ＳＣ０７において終了するタイミングである旨の判別がなされたときには、ＳＣ０６において消去操作の対象となった情報信号またはＳＣ０８において終了するタイミングに達した情報信号に対応する割込みフラグまたは全画面フラグをオフ状態に設定する処理が行なわれる。これにより、再びＳＢ１０，ＳＢ１１で割込みフラグまたは全画面フラグがオン状態に設定されない限り、ＳＣ０２で割込みフラグおよび全画面フラグがオン状態でない旨の判別がなされるため、ＳＣ０４またはＳＣ０５において情報信号に基づく情報画像を表示する制御が行なわれることがない。すなわち、情報信号に基づく情報画像の表示が終了し、遊技者が選択した画像信号に基づく画像のみが表示されることとなる。なお、本実施形態においては、遊技者が選択した画像信号に基づく画像が再び表示される例について説明したが、これに限らず、選択した画像信号に基づく画像が表示されないようにしてもよい。たとえば、ＳＢ０２で設定されたチャンネルをクリアし、タッチパネル操作が遊技者により行なわれるまで、所定のデモ画像等を表示するようにしてもよい。
【００４５】
次に、台間機２に設けられている表示部３の表示領域に表示される各種画面を説明する。図５から図７は、表示部３の表示画面を説明するための図である。
【００４６】
図５（ａ）は、図４のＳＢ０１においてテレビ画像のチャンネルが選択され、更にテレビ画像のうち８チャンネルを選択するための操作が行なわれた旨の判別がなされ、ＳＢ０２においてテレビ画像の８チャンネルが設定され、ＳＣ０１においてテレビ画像の８チャンネルに対応する画像信号に基づく表示画面である。
【００４７】
図５（ｂ）は、図４のＳＢ０１においてビデオ画像を表示するＶＴＲチャンネルを選択するための操作が行なわれた旨の判別がなされ、ＳＢ０２においてＶＴＲチャンネルが設定され、ＳＣ０１においてＶＴＲチャンネルに対応する画像信号に基づく表示画面である。本実施形態においては、このように、遊技者が視聴したいチャンネルを選択する操作を行なうことにより、そのチャンネルに対応する画像信号に基づく画像を表示部３に表示することができる。
【００４８】
図５（ｃ）は、ＶＴＲチャンネルに対応する画像信号に基づくビデオ画像が表示されている表示領域の一部に、ホール管理コンピュータ８から定期的に送信される遊技情報信号に基づく情報画像が割込み表示されたときの表示画面である。これは、ＳＢ０３において遊技情報信号を受信した旨の判別がなされ、ＳＢ０４においていずれのフラグもオン状態に設定されていない旨の判別がなされ、ＳＢ０９で新たに受信した遊技情報信号に含まれる表示態様情報が割込み表示態様で表示する表示態様情報である旨の判別がなされ、ＳＢ１０で新たに受信した遊技情報信号に対応させて割込みフラグがオン状態に設定され、ＳＣ０４において設定された割込みフラグに対応する遊技情報信号に基づく遊技情報画像として「３００番台大当り」を入力部８５により当該遊技情報信号に対応付けて予め設定される位置情報から特定されている表示領域下段位置に割込み表示する処理がなされたことによる。
【００４９】
図６（ｄ）は、ＶＴＲチャンネルに対応する画像信号に基づくビデオ画像が継続して表示されているときの表示画面である。なお、図５（ｃ）で割込み表示されていた遊技情報信号に基づく遊技情報画像の表示は消去されている。これは、ＳＣ０７において該遊技情報信号に対し予め設定された時間表示がなされ終了タイミングである旨の判別がなされたことにより、または、ＳＣ０６において遊技者により消去操作がなされたことにより、ＳＣ０８において割込みフラグがオフ状態にセットされたことにより遊技情報画像が終了したことによる。
【００５０】
図６（ｅ）は、ＶＴＲチャンネルに対応する画像信号に基づくビデオ画像の表示に替え、ホール管理コンピュータ８から定期的に送信される遊技場情報信号に基づく情報画像が全表示領域に表示されたときの表示画面である。これは、ＳＢ０３において遊技場情報信号を受信した旨の判別がなされ、ＳＢ０４においていずれのフラグもオン状態に設定されていない旨の判別がなされ、ＳＢ０９で新たに受信した遊技場情報信号に含まれる表示態様情報が全画面表示態様で表示する表示態様情報である旨の判別がなされ、ＳＢ１１で新たに受信した遊技場情報信号に対応させて全画面フラグがオン状態に設定され、ＳＣ０５において設定された全画面フラグに対応する遊技場情報信号に基づく遊技場情報画像として「イベント内容：ドリンクサービス」といったイベント情報が全表示領域で表示する処理がなされたことによる。
【００５１】
図６（ｆ）は、ＶＴＲチャンネルに対応する画像信号に基づくビデオ画像が再度表示されているときの表示画面である。これは、図６（ｄ）と同様に、図６（ｅ）で表示された遊技場情報信号に基づく遊技場情報画像が所定時間表示されたか、または、遊技者による消去操作がなされたことにより、ＳＣ０８において全画面フラグをオフ状態にセットされたことによる。
【００５２】
図７（ｇ）は、ＶＴＲチャンネルに対応する画像信号に基づくビデオ画像が表示されている表示領域の一部に、ホール管理コンピュータ８から定期的に送信される遊技情報信号に基づく情報画像が割込み表示されたときの表示画面である。。これは、図５（ｃ）と同様であり遊技情報画像として「１７７番台大当り」を入力部８５により当該遊技情報信号に対応付けて予め設定されている位置情報から特定される表示領域下段位置に割込み表示する処理がなされたことによる。
【００５３】
図７（ｈ）は、ＶＴＲチャンネルに対応する画像信号に基づくビデオ画像が表示されている表示領域の一部に、ホール管理コンピュータ８から定期的に送信される遊技情報信号に基づく情報画像が割込み表示されたときの表示画面である。図７（ｇ）で遊技情報画像が表示されているときにさらに新たに受信した遊技情報信号に基づく遊技情報画像が表示されたときの表示画面である。これは、まず受信時においては、ＳＢ０３において遊技情報信号を受信した旨の判別がなされ、ＳＢ０４において既に割込みフラグがオン状態である旨の判別がなされ、ＳＢ０５において新たに受信した遊技情報信号を記憶領域に記憶されている。そして、表示時においては、図７（ｇ）で表示された遊技情報信号に基づく遊技情報画像が所定時間表示されたか、または、遊技者による消去操作がなされたことにより、ＳＣ０８において割込みフラグをオフ状態にセットされた後に、ＳＢ０３において遊技情報信号を受信していない旨の判別がなされ、ＳＢ０６において記憶領域に記憶された遊技情報信号がある旨の判別がなされ、ＳＢ０７において割込みフラグまたは全画面フラグがオン状態に設定されていない旨の判別がなされ、ＳＢ０８において最先に記憶された当該遊技情報信号を読出し、ＳＢ１０ではこの読出された遊技情報信号に対応させて割込みフラグがオン状態に設定され、ＳＣ０４において設定された割込みフラグに対応する遊技情報信号に基づく遊技情報画像として「３５７番台５連チャン」を当該遊技情報信号に対応付けて入力部８５により予め設定されている表示領域上段位置に割込み表示する処理がなされたことによる。
【００５４】
図７（ｉ）は、ＶＴＲチャンネルに対応する画像信号に基づくビデオ画像の表示に替え、ホール管理コンピュータ８から定期的に送信される遊技場情報信号に基づく情報画像が全表示領域に表示されたときの表示画面である。図７（ｇ）または図７（ｈ）で遊技情報画像が表示されているときにさらに新たに受信した遊技場情報信号に基づく遊技場情報画像が表示されたときの表示画面である。これは、まず受信時においては、図７（ｈ）と同様である。表示時においては、図７（ｈ）で表示された遊技情報信号に基づく遊技情報画像が所定時間表示されたか、または、遊技者による消去操作がなされたことにより、ＳＣ０８において割込みフラグをオフ状態にセットされた後に、ＳＢ０３において遊技情報信号を受信していない旨の判別がなされ、ＳＢ０６において記憶領域に記憶された遊技場情報信号がある旨の判別がなされ、ＳＢ０７において割込みフラグまたは全画面フラグがオン状態に設定されていない旨の判別がなされ、ＳＢ０８において最先に記憶された当該遊技場情報信号を読出し、ＳＢ１１ではこの読出された遊技場情報信号に対応させて全画面フラグがオン状態に設定され、ＳＣ０５において設定された全画面フラグに対応する遊技場情報信号に基づく遊技場情報画像として「イベント内容：新装開店」といった遊技場の宣伝情報が全表示領域で表示する処理がなされたことによる。
【００５５】
次に、本実施の形態により得られる主な効果を説明する。
前述したように、遊技者はタッチパネル２８のチャンネル操作を行なうことにより希望する画像を表示部３に表示することができる。さらに、遊技者により選択された画像が表示されているときであっても、入力部８５により表示態様情報として全画面表示態様に設定された情報信号が台間機２に送信されたときには、タッチパネル２８のチャンネル操作により選択された画像を表示する制御を終了し、新たに送信されてきた情報信号に基づく情報画像を表示することができる。また、表示態様情報として割込み表示態様に設定された情報信号が送信されてきたときには、遊技者により選択された画像の表示領域の一部であって情報信号の種類毎に設定された所定位置に割込み表示態様で配信されてきた情報信号に基づく情報画像を表示することができる。これにより、遊技者が選択した画像を表示することにより遊技者の関心を寄せつつ、遊技場が遊技者に対し伝達しようとする情報画像を全画面表示態様か割込み表示態様かにより表示することができるので、遊技者が選択した所定画像を表示していてもアピールしたい所定画像を表示できる。
【００５６】
前述したように、遊技者がタッチパネル２８のチャンネル操作により選択していない画像が表示されているときには、同じくタッチパネル２８の消去操作をすることにより遊技者が選択していない画像の表示を消去することができる。これにより、遊技場が遊技者に対し伝達しようとする情報画像を遊技者が選択する所定画像に早く切替えて表示することができる。なお、予め消去操作することにより遊技場が遊技者に対し伝達しようとする情報画像を強制的に表示させないようにしてもよい。これにより、遊技者が希望する画像を優先して表示することができる。
【００５７】
前述したように、表示態様情報として割込み表示態様に設定されている情報信号を、入力部８５を通して情報信号毎に予め設定した位置に割込み表示する制御を行なうことができる。これにより、遊技場が遊技者に対し伝達しようとする画像を視認しやすい位置に割込み表示態様で表示することができる。また、遊技場側が遊技者に伝達しようとする所定画像を表示したい位置に割込み表示態様で表示することができる。さらに、情報信号の種類により割込ませる位置を変化させることができるためバリエーションを持たせることができる。
【００５８】
前述したように、既に情報信号を受信しており該受信した情報信号に基づく情報画像が表示されているときに、さらに割込み表示態様または全画面表示態様に設定されている情報信号を受信したときであっても、先に受信した情報信号に基づく情報画像の表示制御が終了した後に、新たに受信した情報信号に基づく情報画像を割込み表示態様または全画面表示態様で表示する制御を行なうことができる。これにより、遊技場が遊技者に対し伝達しようとする情報信号が複数配信されてきたときであっても、複数の情報信号に基づく情報画像が同時に表示されることがないため、遊技者の視線を１つの情報信号に基づく情報画像に引きつけることができ、遊技場が遊技者に対し伝達したい情報信号に基づく情報画像を確実に視認させることができる。
【００５９】
次に、本発明の変形例等の特徴点を列挙する。
（１）  前述した実施形態においては、ＣＰＵ８１の情報信号送信処理により、入力部８５から情報信号毎に入力された表示態様情報を情報信号に含めて送信する例について説明したが、これに限らず、入力部８５により情報信号毎に設定された表示態様情報を表示態様情報信号として台間機２に送信し、台間機２のＲＡＭ２３に情報信号と対応付けて表示態様情報信号を格納し、台間機２が情報信号を受信したときに、該受信した情報信号に対応する表示態様を特定し、特定された表示態様で該受信した情報信号に基づく情報画像を表示できるように構成してもよい。なお、表示態様情報信号は、情報信号を台間機２に送信するときに同期して送信してもよく、電源投入時等予め定められたときにすべての情報信号に対応する表示態様情報信号を送信するようにしてもよい。
【００６０】
（２）  前述した実施形態においては、画像信号と割込み表示態様に設定されている情報信号とを同時期に受信しているときには、台間機２に搭載されているＣＰＵ２１からの合成表示するための指令データにしたがって、ＶＤＰ２４が画像信号に基づく画像の一部であって所定位置に情報信号に基づく画像を割込み表示するための画像データを生成する例について説明した。しかし、これに限らず、ＣＰＵ８１の情報信号生成処理により、画像信号に基づく画像の一部であって所定位置に情報信号に基づく画像を割込み表示するための合成信号を生成し、該合成信号を台間機２に送信するように構成してもよい。
【００６１】
（３）  前述した実施形態においては、割込み表示態様に設定された情報信号に基づく情報画像の表示が行なわれているときに、割込み表示態様または全画面表示態様に設定された情報信号を受信したときには、すでに表示している情報信号に基づく情報画像が終了した後に、新たに受信した情報信号に基づく情報画像の表示を行なう例について説明した。これは、すなわち、設定されている表示態様情報に関わらず現在表示されている情報画像の表示が終了した後に新たに受信した情報信号に基づく情報画像の表示を行なう例について説明した。しかし、これに限らず、割込み表示態様に設定された情報信号に基づく情報画像の表示が行なわれているときに、割込み表示態様または全画面表示態様に設定された情報信号を受信したときには、新たに受信した情報信号が割込み表示態様に設定されているときには割込み位置をずらして、新たに受信した情報信号が全画面表示態様に設定されているときには該情報信号に基づく情報画像の一部に既に表示している割込み表示態様に設定された情報信号に基づく情報画像を割込み表示するように、同時に表示するようにしてもよい。また、全画面表示態様に設定された情報信号に基づく情報画像の表示が行なわれているときに、割込み表示態様または全画面表示態様に設定された情報信号を受信したときには、新たに受信した情報信号が割込み表示態様に設定されているときには既に全画面表示態様で表示されている情報画像の一部に割込み表示するように、新たに受信した情報信号が全画面表示態様に設定されているときには表示部３の表示領域を２つの表示領域に分割し、分割された表示領域でそれぞれの情報信号に基づく情報画像を表示するように、同時に表示するようにしてもよい。なお、２つ以上の情報信号が同時期に受信されたときも同様に、同時に表示するようにしてもよい。
【００６２】
（４）  前述した実施形態においては、ホール管理コンピュータが各台間機から送信される遊技情報を管理し、定期的に、遊技情報信号を各台間機に送信し、受信した遊技情報信号に基づいて遊技情報画像を表示する例について説明したが、これに限らず、各台間機は遊技場に設置された他の台間機に遊技情報を送信可能に接続し、各台間機に接続された遊技機の遊技情報に対応する遊技情報信号を、ホール管理コンピュータを介することなく、直接他の台間機に送信し、他の台間機は受信した遊技情報信号に基づいて遊技情報画像を表示するようにしてもよい。
【００６３】
（５）  前述した実施形態においては、テレビ放送局、ケーブルテレビ局、放送衛星、通信衛星またはインターネット等から受信したテレビ画像またはビデオ、ＤＶＤ等で再生した画像等を表示させるための画像信号から遊技者がチャンネル操作により選択できる例について説明したが、これに限らず、遊技情報に関する各種情報信号からチャンネル操作等により遊技者が情報信号を選択できるようにし、知りたい情報を獲得できるように構成してもよい。選択できる情報信号として、たとえば、遊技者が所望する台番号の遊技情報（大当り情報，確変情報，変動表示情報（リーチ、スーパーリーチ等含む），空き情報等）を繰返し表示させるものであってもよい。
【００６４】
（６）  今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】遊技用装置が設けられている遊技場内における遊技用システム９の構成を示す概念図である。
【図２】台間機およびパチンコ遊技機の正面図である。
【図３】台間機の制御回路および遊技用システムの構成を示すブロック図である。
【図４】台間機用表示制御処理のプログラムを説明するためのフローチャートである。
【図５】表示部の表示画面を説明するための図である。
【図６】表示部の表示画面を説明するための図である。
【図７】表示部の表示画面を説明するための図である。
【符号の説明】
１  パチンコ遊技機、２  台間機、３  表示部、７，  島管理コンピュータ、８  ホール管理コンピュータ、９  遊技用システム。
【図１】
2005040279.tif 000003
【図２】
2005040279.tif 000004
【図３】
2005040279.tif 000005
【図４】
2005040279.tif 000006
【図５】
2005040279.tif 000007
【図６】
2005040279.tif 000008
【図７】
2005040279.tif 000009